(57)【要約】【課題】バッテリの容量不足を防止すると共に、携帯装置で電子決済することができる携帯装置用充電装置、客席用テーブル、前記携帯装置用充電装置の管理システム、携帯装置用充電装置の決済処理方法およびプログラムを提供すること。【解決手段】電子決済機能を有し、電磁誘導により電力を受けるための充電コイル１２を備えた携帯装置２に当該電磁誘導を利用して充電する携帯装置用充電装置３であって、携帯装置２に充電コイル１２を介して電力供給する電力供給コイル２２と、充電コイル１２および電力供給コイル２２を介して携帯装置２と通信する通信手段３５と、通信手段３５により携帯装置２と通信して、電子決済処理を行う決済処理手段３７と、を備えた。【選択図】図４
2008236888.tif 000002
【特許請求の範囲】
【請求項１】
電子決済機能を有し、電磁誘導により電力を受けるための充電コイルを備えた携帯装置に当該電磁誘導を利用して充電する携帯装置用充電装置であって、
前記携帯装置に前記充電コイルを介して電力供給する電力供給コイルと、
前記充電コイルおよび前記電力供給コイルを介して前記携帯装置と通信する通信手段と、
前記通信手段により前記携帯装置と通信して、電子決済処理を行う決済処理手段と、を備えたことを特徴とする携帯装置用充電装置。
【請求項２】
前記決済処理手段による決済の完了を示すレシートを発行する決済レシート発行手段をさらに備えたことを特徴とする請求項１に記載の携帯装置用充電装置。
【請求項３】
前記携帯装置用充電装置は、前記携帯装置の識別情報である装置コードと前記携帯装置を所有する顧客の顧客情報とを関連付けて記憶するデータベースを備えたホスト装置に接続されており、
前記携帯装置から前記装置コードを取得する装置コード取得手段と、
取得した前記装置コードに基づいて、前記決済処理の決済金額に応じて、前記ホスト装置に前記データベースに登録された前記顧客情報に関連付けてポイントを付与させるポイント付与手段と、をさらに備えたことを特徴とする請求項１または２に記載の携帯装置用充電装置。
【請求項４】
前記ポイント付与手段によりポイント処理を実行させるための決済処理用スイッチ、前記決済手段により電子決済を実行させるためのポイント付与用スイッチ、充電を開始させるための充電開始用スイッチ、の少なくとも１つを備えたことを特徴とする請求項３に記載の携帯装置用充電装置。
【請求項５】
請求項１ないし４のいずれか１項に記載の前記携帯装置用充電装置を設置した客席用テーブル。
【請求項６】
電子決済処理機能を有し、電磁誘導を利用して電力供給された電力を受けるための充電コイルを備えた携帯装置に前記充電コイルを介して電力供給する電力供給コイルを備えた携帯装置用充電装置の決済処理方法であって、
前記携帯装置用充電装置が、
前記充電コイルおよび前記電力供給コイルを介して前記携帯装置と通信するステップと、
前記携帯装置と通信して、電子決済処理を行うステップと、を実行することを特徴とする携帯装置用充電装置の決済処理方法。
【請求項７】
コンピュータに、請求項６に記載の携帯装置用充電装置の決済処理方法における各ステップを実行させるためのプログラム。
【発明の詳細な説明】
【技術分野】
【０００１】
携帯装置に電力供給する携帯装置用充電装置、客席用テーブル、携帯装置用充電装置の決済処理方法およびプログラムに関するものである。
【背景技術】
【０００２】
従来、電子決済機能を有する携帯装置の電子決済処理を行うものとして、リーダライタを備えた決済端末装置が知られている。この決済端末装置は、リーダライタにより携帯装置と非接触状態で無線通信を行い、携帯装置に必要な情報を読み書きすることにより電子決済処理を行う。
【特許文献１】特開２００５−２０８７２７号公報
【発明の開示】
【発明が解決しようとする課題】
【０００３】
しかし、上記の決済端末装置では、携帯装置のバッテリ容量が切れた場合に、携帯装置との通信ができなくなるため、電子決済処理を行うことができないという問題があった。このため、結局、ユーザは、携帯装置の他にお財布を持ち歩かなければ安心して買い物をすることができないという問題があった。
【０００４】
そこで、バッテリの容量不足を防止すると共に、携帯装置で電子決済することができる携帯装置用充電装置、客席用テーブル、携帯装置用充電装置の決済処理方法およびプログラムを提供することをその課題としている。
【課題を解決するための手段】
【０００５】
本発明の携帯装置用充電装置は、電子決済機能を有し、電磁誘導により電力を受けるための充電コイルを備えた携帯装置に当該電磁誘導を利用して充電する携帯装置用充電装置であって、携帯装置に充電コイルを介して電力供給する電力供給コイルと、充電コイルおよび電力供給コイルを介して携帯装置と通信する通信手段と、通信手段により携帯装置と通信して、電子決済処理を行う決済処理手段と、を備えたことを特徴とする。
【０００６】
本発明の携帯装置用充電装置の決済処理方法は、電子決済処理機能を有し、電磁誘導を利用して電力供給された電力を受けるための充電コイルを備えた携帯装置に充電コイルを介して電力供給する電力供給コイルを備えた携帯装置用充電装置の決済処理方法であって、携帯装置用充電装置が、充電コイルおよび電力供給コイルを介して携帯装置と通信するステップと、携帯装置と通信して、電子決済処理を行うステップと、を実行することを特徴とする。
【０００７】
これらの構成によれば、充電機能と決済処理機能とを１つの装置で実現することで、携帯装置のバッテリ容量が切れた場合でも、携帯装置に電力供給して電子決済処理を行うことができる。また、携帯装置を携帯装置用充電装置に載置させた状態で、電磁誘導を利用して非接触方式で携帯装置に電力供給するため、接触不良が生じることなく、確実に携帯装置に電力供給することができる。
【０００８】
この場合、決済処理手段による決済の完了を示すレシートを発行する決済レシート発行手段をさらに備えたことが、好ましい。
【０００９】
この構成によれば、決済完了を示すレシートを発行して、顧客に決済結果を確認させることができる。
【００１０】
これらの場合、携帯装置用充電装置は、携帯装置の識別情報である装置コードと携帯装置を所有する顧客の顧客情報とを関連付けて記憶するデータベースを備えたホスト装置に接続されており、携帯装置から装置コードを取得する装置コード取得手段と、取得した装置コードに基づいて、決済処理の決済金額に応じて、ホスト装置にデータベースに登録された顧客情報に関連付けてポイントを付与させるポイント付与手段と、をさらに備えたことが、好ましい。
【００１１】
この構成によれば、顧客は、付与されたポイントを利用することができる。また、顧客情報に複数の携帯装置の装置コードを関連づけてデータベースに記憶させておけば、例えば、家族でポイントを共有することもできる。
【００１２】
この場合、ポイント付与手段によりポイント処理を実行させるための決済処理用スイッチ、決済手段により電子決済を実行させるためのポイント付与用スイッチ、充電を開始させるための充電開始用スイッチ、の少なくとも１つを備えたことが、好ましい。
【００１３】
この構成によれば、処理毎に独立してスイッチを備えているため、任意のタイミングで各処理を独立して実行させることができる。
【００１４】
本発明の客席用テーブルは、上記に記載の携帯装置用充電装置を設置したことを特徴とする。
【００１５】
この構成によれば、例えば、飲食店における客席用テーブルに記載の携帯装置用充電装置を備えれば、顧客は客席に着いた状態で充電および電子決済処理をすることができ、レジが混雑することがない。
【００１６】
本発明のプログラムは、コンピュータに、上記の携帯装置用充電装置の決済処理方法における各ステップを実行させることを特徴とする。
【００１７】
この構成によれば、バッテリの容量不足を防止すると共に、携帯装置で電子決済することができるプログラムを提供することができる。
【発明を実施するための最良の形態】
【００１８】
以下、添付の図面を参照して、本発明の実施形態に係る携帯装置用充電装置について説明する。本発明は、電磁誘導を利用した非接触式の携帯装置用充電装置に電子決済機能を設けたものである。本実施形態では、飲食店の客席テーブル上で携帯装置として携帯電話を充電する場合を例に挙げて説明してゆく。
【００１９】
最初に図１のシステム構成図を参照して、携帯電話２（携帯装置）の電子決済システム１のシステム構成について説明する。電子決済システム１は、通信機能を有する複数の携帯電話２（図では３つのみ記載）と、飲食店の客席用テーブル６毎に設置され、携帯電話２を保持した状態で携帯電話２と無線通信を行う充電装置３（携帯装置用充電装置、図では２つのみ記載）と、店舗内ＬＡＮ７を介して充電装置３に接続し、充電装置３を管理するホスト装置５と、から構成されている。そして、ホスト装置５は、顧客からのオーダーを受けて、決済データを生成し、充電装置３に送信することで電子決済処理の制御を行う。また、ホスト装置５は、電子決済処理に伴い発生するサービスポイントの管理を行っている。なお、ここでいう決済データとは、レシートＲ（図３参照）を発行する際に用いられるデータであり（詳細は後述する）、この決済データのうち合計金額が電子決済処理に用いられる。また、サービスポイントとは、例えば、１ポイントを1円として割引に利用したり、サービス商品の提供に利用されるものである。
【００２０】
また、この電子決済システム１では、携帯電話２は、外部電源４に接続した充電装置３に載置された状態で電力供給される。充電装置３は、外部電源４から取得した電力を、電磁誘導を利用して上面に載置した携帯電話２に供給する。なお、電磁誘導を利用した電力供給とは、１次コイルに流された交流電流により、１次コイル近傍に交流磁場を発生させ、２次コイルに交流電圧を誘起し、これを整流して２次電池に充電することをいう。すなわち、充電装置３は、１次コイルに相当する電力供給コイル２２を有し、携帯電話２は、２次コイルに相当する充電コイル１２を有し（図４参照）、充電装置３側で交流磁場を発生することで携帯電話２に電力供給を行う。
【００２１】
また、充電装置３と携帯電話２との間の通信は、上記した電磁誘導を利用して行われる。つまり、充電装置３の電力供給コイル２２および携帯電話２の充電コイル１２は、通信インターフェースとして兼用することができ、別途無線用の通信インターフェースを設ける構成に比べて、簡易な装置構成となっている。
【００２２】
ホスト装置５は、決済データを送信することにより充電装置３の電子決済処理を制御するものであり、マウスやキーボード等の入力デバイス、ディスプレイ（図示省略）および内部に記憶部６１や制御部６２を収容した装置本体を備えている（図４参照）。
【００２３】
携帯電話２は、図２（ａ）に示すように、薄板の長方形状に形成され、正面中央にディスプレイ１１を有している。ディスプレイ１１は、現在日時、電波状況を示すアンテナマーク、バッテリ残量を示すバッテリマークを表示する。ユーザは、バッテリマークを視認することで、充電のタイミングを図ることができる構成となっている。また、図２（ｂ）に示すように、携帯電話２の内部には、充電コイル１２とディスプレイ１１を表示させる駆動源となるバッテリ１４とが配設されている。充電コイル１２は渦巻状の扁平コイルであり、両端が内部回路を介してバッテリ１４に接続されている。携帯電話２の背面は、フラットに形成されており、充電コイル１２の中心と同軸上に、係合穴１３が形成され、充電装置３との位置決めの際に利用される（詳細は後述する）。
【００２４】
充電装置３は、図３に示すように、携帯電話２を載置する装置本体２１と、装置本体２１の内部に保持され、携帯電話２に電磁誘導を利用して電力供給する２つの電力供給コイル２２と、を備えている。２つの電力供給コイル２２は、充電コイル１２と同様に渦巻状の扁平コイルであり、装置本体２１内に横並びに配設されている。
【００２５】
そして、装置本体２１表面の略左半部には、電力供給コイル２２の中心と同軸上に、携帯電話２の係合穴１３に係合する係合突起２３が形成され、さらに、係合突起２３を囲うように位置決めマーク２４が表記されている。つまり、携帯電話２を充電装置３に位置決めする際には、位置決めマーク２４を目安に位置合わせし、充電装置３の係合突起２３に携帯電話２の係合穴１３を係合させることにより、充電装置３の電力供給コイル２２の中心と携帯電話２の充電コイル１２の中心とを精度良く位置決する。また、各位置決めマーク２４に対応して、顧客に充電を開始させるための充電開始用スイッチ５１が配設されている。
【００２６】
装置本体２１表面の略右半部には、合計金額や合計サービスポイントを表示するディスプレイ３９が配設され、ディスプレイ３９の後方にレシートＲを排出するレシート排出口２８が形成されている。また、ディスプレイ３９の前方には、顧客に電子決済処理を実行させるための電子決済用スイッチ５２およびポイント付与を実行させるためのポイント付与用スイッチ５３が配設されている。
【００２７】
また、装置本体２１の内部には、外部電源４に接続され、充電装置３の各部を制御するための電子部品から成る制御部２５と、電子決済処理の完了を示すレシートＲを発行するレシート発行部２９（決済レシート発行手段）と、が収容されている。制御部２５は、電力供給コイル２２の近傍に配設され、装置本体２１内部に組まれた配線２６を介して各電力供給コイル２２の両端に電気的に接続されている。すなわち、外部電源４から出力された電流は、制御部２５および配線２６を介して電力供給コイル２２に出力される構成となっている。レシート発行部２９は、上記したレシート排出口２８下方に配設され、レシート発行部２９が発行したレシートＲをレシート排出口２８から排出する。
【００２８】
位置決めマーク２４は、携帯電話２の係合穴１３と充電装置３の係合突起２３との位置決めする際の目安として利用され、図３に示すように、装置本体２１の内部に保持された電力供給コイル２２に対応して、装置本体２１の表面に表記されており、携帯電話２の四隅を位置合わせするための４つのＬ字マーク２７から構成されている。この場合、この携帯電話２の四隅を示す４つのＬ字マーク２７は、一般的な携帯電話２の長辺および短辺の平均長さに対応した間隔をとって、装置本体２１に表記され、携帯電話２の機種が異なっていても、係合突起２３の位置を特定し易いものにしている。また、各Ｌ字マーク２７の大きさ（太さ）は、位置決め精度に影響を与えない程度の大きさ且つ作業者が視認できる程度の大きさに表記されている。携帯電話２を充電装置３に載置する際は、携帯電話２の四隅を４つのＬ字マーク２７に位置合わせするようにし、携帯電話２の係合穴１３を充電装置３の係合突起２３に近づける。そして、係合穴１３と係合突起２３との係合位置を探すようにスライドさせて位置決めを行う。このようにすることで、携帯電話２に内蔵した充電コイル１２の中心と充電装置３に保持された電力供給コイル２２の中心との位置決めを行うことができる。なお、位置決めマーク２４は、携帯電話２の形状に関わらず、携帯電話２と充電装置３との位置合わせをできるようなものであれば、どのような表記のしかたでもよい。
【００２９】
続いて、図４の制御構成図を参照して充電装置３、携帯電話２の制御構成について説明する。最初に、ホスト装置５の制御構成について説明する。
【００３０】
ホスト装置５は、記憶部６１および制御部２５を備えている。記憶部６１には、メニュー情報６３およびポイント管理情報６４（データベース）を記憶している。メニュー情報６３は、図５に示すように、メニューコード、メニュー名、料金がメニュー毎に関連付けられて記憶されている。ホスト装置５は、顧客のオーダーに応じて、メニュー情報６３を参照して決済データを生成し、充電装置３に対して決済データを送信する構成となっている。決済データは、顧客がオーダーしたメニュー名、各メニューの料金および合計金額を含むデータであり、例えば、顧客が「焼きそば」、「スパゲティ」、「コーヒー」、「紅茶」をオーダーした場合、ホスト装置５は、メニュー情報６３を参照して、「やきそば，５００円」、「スパゲティ，６００円」、「コーヒー，２００円」、「紅茶，２５０円」、「合計，１５５０円」として決済データを生成する（図６参照）。
【００３１】
ポイント管理情報６４は、図７に示すように、顧客を示す顧客コード、携帯電話２の装置コード、サービスポイントが顧客毎に関連付けられて記憶されている。そして、装置コードは、１つの顧客コードに複数登録することもでき、例えば、家族でサービスポイントを共有することができる。
【００３２】
携帯電話２は、充電コイル１２、整流回路４１、通信処理部４２、電圧レギュレータ部４３、充電制御部４４、バッテリ１４、携帯メモリ４５およびデバイス制御部４６を備えている。
【００３３】
充電コイル１２は、電力供給コイル２２により発生させられた交流磁場により、交流電流を誘起させる。そして、誘起した交流電流は、整流回路４１に出力される。
【００３４】
整流回路４１は、充電コイル１２で発生した交流電流を直流電流に変換した変換結果に基づき、電荷をバッテリ１４に蓄電させる。
【００３５】
バッテリ１４は、充電型のバッテリであり、バッテリ１４に蓄えられた電荷に基づき携帯電話２の各部に電力を供給する。
【００３６】
電圧レギュレータ部４３は、バッテリ１４から出力される電流を常に監視し、一定の出力電流が保たれるように制御する。
【００３７】
充電制御部４４は、充電電流を検出する抵抗部および放電電流を検出する抵抗部を備えた回路と、両抵抗部で検出した電流値からバッテリ残量を算出する演算部と、から構成されている。充電制御部４４は、演算部により算出されたバッテリ残量を定期的に携帯メモリ４５に送信する。
【００３８】
携帯メモリ４５は、携帯電話２の装置コードおよび充電制御部４４から送信されたバッテリ残量を記憶する。
【００３９】
デバイス制御部４６は、携帯メモリ４５に記憶されたバッテリ残量を読み出し、バッテリマークとして、ディスプレイ１１に表示する。また、内蔵したタイマーにより現在日時をディスプレイ１１に表示し、アンテナにより電波状況をアンテナマークとしてディスプレイ１１に表示する。
【００４０】
通信処理部４２は、充電装置３と通信を行うものであり、充電装置３の装置コードおよびバッテリ残量の送信要求に基づき、携帯メモリ４５に記憶された装置コードおよびバッテリ残量を充電装置３に送信する。
【００４１】
充電装置３は、ＡＣ／ＤＣコンバータ３１、安全回路３２、充電コントローラ３３、ＤＣ／ＡＣインバータ３４、電力供給コイル２２、通信コントローラ３５（通信手段）、充電装置メモリ３６、電子決済処理部３７（決済処理手段）、ポイント付与部３８（ポイント付与手段）およびレシート発行部２９を備えている。そして、ＡＣ／ＤＣコンバータ３１、安全回路３２、充電コントローラ３３、ＤＣ／ＡＣインバータ３４、通信コントローラ３５、充電装置メモリ３６、電子決済処理部３７およびポイント付与部３８により、上述した制御部２５を構成している。
【００４２】
ＡＣ／ＤＣコンバータ３１は、外部電源４から出力された交流電流を直流電流に変換し、安全回路３２に出力する。
【００４３】
安全回路３２は、サーミスタを組み込んで構成されており、サーミスタにより検出された検出温度から、ＡＣ／ＤＣコンバータ３１から出力された直流電流が過電流か否かを監視する。過電流の場合には、電流の出力を停止する。
【００４４】
ＤＣ／ＡＣインバータ３４は、直流電流を交流電流に変換して電力供給コイル２２に出力する。
【００４５】
電力供給コイル２２は、ＤＣ／ＡＣインバータ３４から出力された交流電流が流れることで、交流磁場を発生させる。
【００４６】
通信コントローラ３５は、携帯電話２およびホスト装置５との通信を制御するものである。通信コントローラ３５は、携帯電話２に対し、装置コードおよびバッテリ残量の送信要求を行い、携帯電話２から装置コードおよびバッテリ残量を取得する（装置コード取得手段）。また、通信コントローラ３５は、ホスト装置５に対し、決済データの送信要求を行い、ホスト装置５から決済データを取得する。
【００４７】
充電装置メモリ３６は、通信コントローラ３５が携帯電話２から取得した装置コードを記憶する装置コード記憶部６１と、通信コントローラ３５が取得したバッテリ残量を記憶するバッテリ残量記憶部７１と、ホスト装置５から取得した決済データを記憶する決済データ記憶部７２を有している。
【００４８】
充電コントローラ３３は、携帯電話２に対する充電を制御するものであり、携帯電話２に対し電力供給・停止を制御するＯＮ／ＯＦＦスイッチと、電力供給中であることを報知するＬＥＤランプと、を備えている。充電コントローラ３３は、顧客により充電開始用スイッチ５１が押下されると、通信コントローラ３５に携帯電話２に対してバッテリ残量の送信要求を行わせ、これを充電装置メモリ３６に記憶させる。そして、充電コントローラ３３は、バッテリ残量記憶部７１から通信コントローラ３５が携帯電話２から取得したバッテリ残量を読み出し、このバッテリ残量に基づき、充電時間を算出する。そして、充電装置３は、充電時間が経過するまで、ＯＮ／ＯＦＦスイッチをＯＮにして携帯電話２に対して電力供給を開始する。
【００４９】
電子決済処理部３７は、携帯電話２の電子決済処理を行う。顧客が電子決済用スイッチ５２を押下すると、通信コントローラ３５に携帯電話２に対して装置コードの送信要求、ホスト装置５に対して決済データの送信要求を行わせ、これを充電装置メモリ３６に記憶させる。そして、充電装置メモリ３６から装置コードおよび決済データに含まれる合計金額を読み出し、携帯電話２の電子決済処理を行う。
【００５０】
レシート発行部２９は、電子決済処理に連動して、顧客に対してレシートＲを発行する。レシート発行部２９は、印刷部やデバイスドライバ等を備えており（図示省略）、電子決済処理部３７において電子決済処理が完了すると、充電装置メモリ３６から決済データを読み出し、デバイスドライバにより印刷データに変換する。そして、印刷データに基づいて、印刷部によりレシートＲに印刷し、レシート排出口２８から印刷済みのレシートＲを発行する。このように、決済完了を示すレシートＲを発行して、顧客に決済結果を確認させる構成となっている。
【００５１】
ポイント付与部３８は、携帯電話２を所有する顧客に対し、サービスポイントの付与を行う。顧客がポイント付与用スイッチ５３を押下すると、電子決済処理で決済された合計金額に応じてサービスポイントが算出され、このサービスポイントと共に、充電装置メモリ３６に記憶された装置コードがホスト装置５に送信される。ホスト装置５は、ポイント管理情報６４を参照して、受信した装置コードに対応する顧客コードに対して、サービスポイントを加算する。そして、ホスト装置５は、サービスポイントの累計ポイントを充電装置３に送信し、ディスプレイ３９に表示させる。
【００５２】
次に、充電装置３による電子決済処理およびポイント付与処理について、図８のフローチャートを参照して説明する。
【００５３】
まず、ユーザが充電装置３に携帯電話２を位置決めマーク２４を目安にして載置し、充電装置３の係合突起２３に携帯電話２の係合穴１３を係合させて、電力供給コイル２２の中心と充電コイル１２の中心との位置決めを行う（Ｓ０１）。そして、外部電源４から電力供給コイル２２に交流電流が出力され、電力供給コイル２２の近傍に交流磁場が発生する（Ｓ０２）。発生した交流磁場により、携帯電話２の充電コイル１２に交流電流が誘起され（Ｓ０３）、充電装置３と携帯電話２との間で通信が確立する（Ｓ０４）。
【００５４】
顧客が電子決済用スイッチ５２を押下すると、充電装置３は、携帯電話２に対して装置コードの送信要求、ホスト装置５に対して決済データの送信要求を行う（Ｓ０５）。充電装置３は、受信した装置コードおよび決済データに基づき電子決済を行い（Ｓ０６）、レシート排出口２８からレシートＲを発行する（Ｓ０７）。さらに、顧客がポイント付与用スイッチ５３を押下すると、充電装置３は、決済データに基づき、サービスポイントを算出し、これを装置コードと共にホスト装置５に送信する（Ｓ０８）。ホスト装置５は、受信した装置コードに対応する顧客コードに、サービスポイントを加算する（Ｓ０９）。
【００５５】
以上の構成によれば、充電装置３が電子決済処理機能を有しているので、携帯電話２のバッテリ容量が切れた場合でも、携帯電話２に電力供給して電子決済処理を行うことができる。また、携帯電話２を充電装置３に載置させた状態で、電磁誘導を利用して非接触方式で携帯電話２に電力供給するため、接触不良が生じることなく、確実に携帯電話２に電力供給することができる。
【００５６】
なお、図９に示すように、充電装置３を客席用テーブル６に埋め込むように設置してもよい。これにより、電源ケーブルなどが邪魔することなく、客席用テーブル６を広く使用できると共に、意匠性を良くすることができる。
【００５７】
一方で、上記の例に示した、充電装置３の各機能をソフトウェアプログラムとして提供することも可能である。また、そのプログラムを記録媒体（図示省略）に格納して提供できる。記録媒体としては、ＣＤ−ＲＯＭ、フラッシュＲＯＭ、メモリカード（コンパクトフラッシュ（登録商標）、スマートメディア、メモリースティック等）、光磁気ディスク、デジタルバーサタイルディスクおよびフレキシブルディスク等を利用することができる。
【００５８】
上記に示した実施例によらず、充電装置３の処理工程について、本発明の要旨を逸脱しない範囲で、適宜変更も可能である。
【図面の簡単な説明】
【００５９】
【図１】電子決済システムのシステム構成図である。
【図２】携帯電話の斜視図である。
【図３】充電装置の斜視図である。
【図４】電子決済システムの制御構成図である。
【図５】メニュー情報の一例を示す図である。
【図６】決済データの一例を示す図である。
【図７】ポイント管理情報の一例を示す図である。
【図８】電子決済システムにおける電子決済処理およびポイント付与処理を示すフローチャートである。
【図９】変形例に係る客席用テーブルの斜視図である。
【符号の説明】
【００６０】
２…携帯電話（携帯装置）  ３…充電装置（携帯装置用充電装置）  ５…ホスト装置  ６…客席用テーブル  １２…充電コイル  ２２…電力供給コイル  ２９…レシート発行部  ３５…通信コントローラ（通信手段）  ３７…電子決済処理部（決済処理手段）  ３８…ポイント付与部（ポイント付与手段）  ６４…ポイント管理情報（データベース）
【図１】
2008236888.tif 000003
【図２】
2008236888.tif 000004
【図３】
2008236888.tif 000005
【図４】
2008236888.tif 000006
【図５】
2008236888.tif 000007
【図６】
2008236888.tif 000008
【図７】
2008236888.tif 000009
【図８】
2008236888.tif 000010
【図９】
2008236888.tif 000011